(57)【要約】【課題】本発明は、原稿の浮きにより生じる読み込み画像のムラを抑制すると共に、製造時における歩留まりが向上され、修理時における負担が低減された画像読取装置、及び該画像読取装置を有する画像形成装置を提供することを目的とする。【解決手段】画像読取装置３００は、照明部３４０を有する。照明部３４０は、導光体４１０と、複数の基板を含み主走査方向Ｙに長い基板部７１０と、基板部７１０の主走査方向中央部に配置される第１基板７０２Ａに実装される第１ＬＥＤ５０１ａと、基板部７１０の主走査方向外側部に配置される第２基板７０２Ｂに実装される第２ＬＥＤ５０１ｂとを有する。第１ＬＥＤ５０１ａにおける発光面５１１ａの垂線Ｓａは、副走査方向Ｘに平行である。そして、第２ＬＥＤ５０１ｂにおける発光面５１１ｂの垂線Ｓｂは、垂線Ｓａに対して第１角度θ１で交差する。【選択図】図７
2010278855.tif 000002
【特許請求の範囲】
【請求項１】
原稿に光を照射させる照明部であって、
入光部と出光部を有し前記出光部が原稿側を向くように配置される導光体と、
複数の基板を含み、主走査方向に長い基板部と、
前記基板部における主走査方向中央部に配置される第１基板に実装され、第１発光面が前記入光部側を向くと共に前記第１発光面の第１垂線が副走査方向と略平行となるように配置される第１発光部と、
前記基板部における主走査方向外側部に配置される第２基板に実装され、第２発光面が前記入光部側を向いて配置されると共に前記第２発光面の第２垂線が前記第１発光面の第１垂線と第１角度で交差する第２発光部と、を有する照明部と、
前記原稿からの光を反射させて光路を形成する１又は複数のミラーと、
前記１又は複数のミラーにより反射された光束を結像させる結像レンズと、
前記結像レンズの結像位置に配置され、前記結像レンズによる結像に基づいて前記原稿の画像を読み取る読取部と、を備える
画像読取装置。
【請求項２】
前記導光体における前記入光部は、
前記第１発光部における前記第１発光面と平行な面状であり前記第１発光面に向かい合うようにして当接される第１入光面と、
前記第２発光部における前記第２発光面と平行な面状であり前記第２発光面に向かい合うようにして当接される第２入光面と、を有する
請求項１に記載の画像読取装置。
【請求項３】
前記基板部は、主走査方向に長い一つの基板取付部材を有し、
前記一つの基板取付部材には、前記第１基板と前記第２基板とが取り付けられる
請求項１又は２に記載の画像読取装置。
【請求項４】
前記照明部は、
前記第１基板に実装され、前記第１発光面と平行な発光面を有し、前記第１発光部と主走査方向に並んで配置される１又は複数の発光部と、
前記第２基板に実装され、前記第２発光面と平行な発光面を有し、前記第２発光部と主走査方向に並んで配置される１又は複数の発光部と、を備える
請求項２又は３に記載の画像読取装置。
【請求項５】
前記照明部は、
前記第１基板と前記第２基板との間に配置される第３基板とを更に備え、
前記第３基板には、第３発光面が前記入光部側を向いて配置されると共に前記第３発光面の第３垂線が前記第１発光面の第１垂線と前記第１角度よりも小さい第２角度で交差する第３発光部が実装される
請求項１から４のいずれかに記載の画像読取装置。
【請求項６】
前記照明部は、
前記第１基板と前記第２基板との間に配置される複数の基板とを更に備え、
前記複数の基板それぞれには、発光部が実装され、
前記複数の基板それぞれに実装される発光部は、前記第１垂線と各発光部の発光面における垂線とのなす角度が前記主走査方向の端部側に配置される基板に実装された発光部ほど大きくなるように実装される
請求項１から５のいずれかに記載の画像読取装置。
【請求項７】
前記入光部は、主走査方向においてジグザグ状に形成される
請求項１から６のいずれかに記載の画像読取装置。
【請求項８】
請求項１から７のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び画像形成装置に関する。
【背景技術】
【０００２】
従来、原稿の画像を読み取る画像読取装置として、原稿に光を照射する照明部と、読み取り面に配置された原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。画像読取装置における照明部を構成する発光部（光源）として、冷陰極蛍光灯やキセノンランプが用いられたものが使用されていた。更には、細長い長方形状の基板に複数の白色ＬＥＤを設置し、発光部とする画像読取装置が提案されていた。
【０００３】
近年、画像読取速度の高速化により、光源に要求される光量は大きくなる方向である。そのため、発光部（光源）として高輝度のＬＥＤを用いるか、白色ＬＥＤの個数を増やす必要があった。これに対応し、例えば、白色ＬＥＤを複数列配置した照明部を有する画像読取装置が提案されている（例えば、特許文献１参照）。
【０００４】
ここで、白色ＬＥＤを複数配列した照明部を有する画像読取装置において、主走査方向に光量ムラが生じる場合がある。これに対しては、ＣＣＤにより読み取られた画像に対して、主走査方向における光量ムラを補正するような補正ゲインをかける設定がなされている。
【０００５】
しかし、原稿の一部が読み取り面から浮くように離間した場合、離間した部分が主走査方向にずれてＣＣＤに読み込まれるため、上記補正ゲインとの関係で読み込まれた画像にムラ（読取ムラ）が生じる場合がある。
【０００６】
これに対して、各ＬＥＤを所定角度だけ傾けて一つの基板に実装することで、上記離間した部分の主走査方向へのずれと上記補正ゲインとの関係を調整して、読み込まれた画像に生じるムラを軽減する画像読取装置が提案されている（例えば、特許文献２参照）。
【先行技術文献】
【特許文献】
【０００７】
【特許文献１】特開２００５−２７０８２号公報
【特許文献２】特開２００８−６７２７６号公報
【発明の概要】
【発明が解決しようとする課題】
【０００８】
しかし、特許文献１及び特許文献２の画像読取装置では、照明部が大型化してしまうという問題があった。つまり、発光部として複数のＬＥＤを利用していることにより、各ＬＥＤからの光を拡散させるために原稿までの距離を一定距離以上とする必要があり、画像読取装置が大型化するという問題は解消されていなかった。
また、各ＬＥＤを所定角度だけ傾けて一つの基板に実装する場合、複数のＬＥＤのうち一つでも角度条件を満たさなかったり、不良である場合には、ＬＥＤユニット全体が不良なってしまうという問題があった。この場合、製造時における歩留まりが悪くなるという問題があった。
また、同様に、ＬＥＤのうち一つでも故障すると、ＬＥＤユニット全体を交換する必要があった。この場合、修理コストや交換作業面での負担が大きいという問題があった。
【０００９】
本発明は、原稿の浮きにより生じる読み込み画像のムラを抑制すると共に、製造時における歩留まりが向上され、修理時における負担が低減された画像読取装置を提供することを目的とする。また、本発明は、該画像読取装置を備える画像形成装置を提供することを目的とする。
【課題を解決するための手段】
【００１０】
本発明は、原稿に光を照射させる照明部であって、入光部と出光部を有し前記出光部が原稿側を向くように配置される導光体と、複数の基板を含み、主走査方向に長い基板部と、前記基板部における主走査方向中央部に配置される第１基板に実装され、第１発光面が前記入光部側を向くと共に前記第１発光面の第１垂線が副走査方向と略平行となるように配置される第１発光部と、前記基板部における主走査方向外側部に配置される第２基板に実装され、第２発光面が前記入光部側を向いて配置されると共に前記第２発光面の第２垂線が前記第１発光面の第１垂線と第１角度で交差する第２発光部と、を有する照明部と、前記原稿からの光を反射させて光路を形成する１又は複数のミラーと、前記１又は複数のミラーにより反射された光束を結像させる結像レンズと、前記結像レンズの結像位置に配置され、前記結像レンズによる結像に基づいて前記原稿の画像を読み取る読取部と、を備える画像読取装置に関する。
【００１１】
また、前記導光体における前記入光部は、前記第１発光部における前記第１発光面と平行な面状であり前記第１発光面に向かい合うようにして当接される第１入光面と、前記第２発光部における前記第２発光面と平行な面状であり前記第２発光面に向かい合うようにして当接される第２入光面と、を有することが好ましい。
【００１２】
また、前記基板部は、主走査方向に長い一つの基板取付部材を有し、前記一つの基板取付部材には、前記第１基板と前記第２基板とが取り付けられることが好ましい。
【００１３】
また、前記照明部は、前記第１基板に実装され、前記第１発光面と平行な発光面を有し、前記第１発光部と主走査方向に並んで配置される１又は複数の発光部と、前記第２基板に実装され、前記第２発光面と平行な発光面を有し、前記第２発光部と主走査方向に並んで配置される１又は複数の発光部と、を備えることが好ましい。
【００１４】
また、前記照明部は、前記第１基板と前記第２基板との間に配置される第３基板とを更に備え、前記第３基板には、第３発光面が前記入光部側を向いて配置されると共に前記第３発光面の第３垂線が前記第１発光面の第１垂線と前記第１角度よりも小さい第２角度で交差する第３発光部が実装されることが好ましい。
【００１５】
また、前記照明部は、前記第１基板と前記第２基板との間に配置される複数の基板とを更に備え、前記複数の基板それぞれには、発光部が実装され、前記複数の基板それぞれに実装される発光部は、前記第１垂線と各発光部の発光面における垂線とのなす角度が前記主走査方向の端部側に配置される基板に実装された発光部ほど大きくなるように実装されることが好ましい。
【００１６】
また、前記入光部は、主走査方向においてジグザグ状に形成されることが好ましい。
【００１７】
本発明は、上記画像読取装置と、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００１８】
本発明によれば、原稿の浮きにより生じる読み込み画像のムラを抑制すると共に、製造時における歩留まりが向上され、修理時における負担が低減された画像読取装置を提供することができる。また、本発明によれば、上記画像読取装置を備えた画像形成装置を提供することができる。
【図面の簡単な説明】
【００１９】
【図１】カラーコピー機の各構成要素の配置を説明するための図である。
【図２】画像読取装置の読取部の内部構造の概略を示す平面図である。
【図３】画像読取装置の読取部を主走査方向から見た図である。
【図４】照明ユニット及びミラーユニットの移動機構の概要を示す図である。
【図５】照明部の構成を説明する断面図である。
【図６】照明部の周辺部位の部分拡大図である。
【図７】照明ユニットを説明する平面図である。
【図８】ＬＥＤユニットを説明する平面図である。
【図９】導光体を説明する平面図である。
【図１０】原稿の一部が読み取り面から浮くように離間した場合の光量ムラを解決する原理を説明するための模式図である。
【発明を実施するための形態】
【００２０】
以下、図面を参照して、本発明の実施形態を説明する。
図１により、本実施形態における画像形成装置としてのカラーコピー機１における全体構造を説明する。図１は、カラーコピー機１の各構成要素の配置を説明するための図である。
【００２１】
図１に示すように、画像形成装置としてのカラーコピー機１は、カラーコピー機１における垂直方向Ｚの上方側に配置される画像読取装置３００と、カラーコピー機１における垂直方向Ｚの下方側に配置され画像読取装置３００から出力された画像情報に基づいてシート状の被転写材としての用紙Ｔにトナー画像を形成する装置本体Ｍと、を備える。
なお、カラーコピー機１の説明において、副走査方向Ｘをコピー機１の「左右方向」ともいい、主走査方向Ｙ（図１を貫く方向、図２参照）をコピー機１の「前後方向」ともいう。コピー機１の垂直方向Ｚ（上下方向）Ｚは、副走査方向Ｘ及び主走査方向Ｙと直交する。
【００２２】
まず、画像読取装置３００について説明する。
図１に示すように、画像読取装置３００は、原稿Ｇの画像を読み取る読取部３０１と、読取部３０１の垂直方向における上方側に配置され読取部３０１に原稿Ｇを搬送する原稿搬送部７０と、を備える。
【００２３】
読取部３０１は、筐体３０６と、筐体３０６の垂直方向における上方側に配置される第１読取面３０２Ａ及び第２読取面３０２Ｂと、を備える。また、読取部３０１は、筐体３０６の内部空間３０４に、発行部（光源）を含む照明部３４０と、第１ミラー３２１、第２ミラー３２２及び第３ミラー３２３と、副走査方向Ｘに移動する第１枠体３１１及び第２枠体３１２と、結像レンズ３５７と、読取手段としてのＣＣＤ３５８と、ＣＣＤ３５８により読み取られた画像情報に対して所定の処理をすると共に該画像情報を装置本体Ｍ側に出力させるＣＣＤ基板３６１と、を備える（図２、図３参照）。照明部３４０及び第１ミラー３２１は、第１枠体３１１に収容される。第２ミラー３２２及び第３ミラー３２３は、第２枠体３１２に収容される（図２、図３参照）。
【００２４】
原稿搬送部７０は、読取部３０１に対して不図示の連結部により開閉可能に連結される。原稿搬送部７０は、垂直方向における上方側に原稿載置部７１を有し、内部に送りローラ（図示せず）を有する。原稿搬送部７０は、読取部３０１の第１読取面３０２Ａ及び第２読取面３０２Ｂを保護する機能を有する。
【００２５】
第１読取面３０２Ａは、原稿搬送部７０により搬送される原稿Ｇを読み取る場合に用いられる読取面である。第１読取面３０２Ａは、原稿Ｇが搬送される第１コンタクトガラス３３５Ａの上面に沿って形成される。第１読取面３０２Ａは、図１において、筐体３０６における左側面近傍に位置する。
【００２６】
第２読取面３０２Ｂは、原稿搬送部７０を用いずに原稿Ｇを読み取る場合に用いられる読取面である。第２読取面３０２Ｂは、原稿Ｇが載置される第２コンタクトガラス３３５Ｂの上面に沿って形成される。第２読取面３０２Ｂは、図１において、第１読取面３０２Ａよりも右側の位置であって、読取部３０１における副走査方向Ｘの大部分に亘って形成されている。
第１読取面３０２Ａ及び第２読取面３０２Ｂは、副走査方向Ｘ及び主走査方向Ｙと直交する方向に拡がる。
【００２７】
原稿搬送部７０により搬送される原稿Ｇを読み取る場合、原稿Ｇは、原稿載置部７１に載置される。原稿載置部７１に載置された原稿Ｇは、原稿搬送部７０の内部に設けられた前記送りローラにより、読取部３０１の第１読取面３０２Ａへ搬送される。この場合、第１枠体３１１及び第２枠体３１２は、前記第１読取位置に配置されると共に、第１読取位置に配置された状態で維持される（移動しない）。そして、原稿搬送部７０により原稿Ｇが第１読取面３０２Ａの上をスライドするように搬送されることで、読取手段としてのＣＣＤ３５８により、原稿Ｇの表面に形成された画像が読み取られる。
【００２８】
また、原稿搬送部７０が開状態の場合、原稿Ｇは、第２読取面３０２Ｂに載置される。この場合、第１枠体３１１及び第２枠体３１２それぞれは、後述する光路Ｈの長さ（光路長）を一定に保持しながら副走査方向Ｘに移動する。これにより、第２読取面３０２Ｂに載置された原稿Ｇの画像が読み取られる。
【００２９】
筐体３０６の内部空間３０４において、複数のミラーとしての第１ミラー３２１、第２ミラー３２２及び第３ミラー３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。読取部３０１の詳細については後述する。
【００３０】
次に、装置本体Ｍについて説明する。
装置本体Ｍは、所定の画像情報に基づいて用紙Ｔに所定のトナー画像を形成する画像形成部と、用紙Ｔを画像形成部に給紙すると共にトナー画像が形成された用紙Ｔを排紙する給排紙部とを有する。
【００３１】
図１に示すように、画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００３２】
図１に示すように、給排紙部は、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００３３】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部においては、中間転写ベルト７、２次転写ローラ８及び対抗ローラ１８による２次転写、並びに定着部９による定着が行われる。
【００３４】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる機軸を中心に矢印の方向に回転可能に配置される。感光体ドラム２ａ、２ｂ、２ｃ、２ｄそれぞれにおける表面には、静電潜像が形成される。
【００３５】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３６】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３７】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３８】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、カラーのトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００３９】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００４０】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００４１】
中間転写ベルト７には、感光体ドラム２ａ、２ｂ、２ｃ、２ｄに現像された各色のトナー画像が順次転写される。中間転写ベルト７は、従動ローラ３５、駆動ローラからなる対抗ローラ１８、テンションローラ３６等に掛け渡される。テンションローラ３６が中間転写ベルト７を内側から外側に付勢するため、中間転写ベルト７には所定の張力が与えられる。
【００４２】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００４３】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００４４】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００４５】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４６】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナーを所定の回収機構へ搬送させて、回収させる。
【００４７】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００４８】
２次転写ローラ８は、中間転写ベルト７に対して接触され、離間される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４９】
中間転写ベルト７における２次転写ローラ８と反対側には、対抗ローラ１８が配置される。中間転写ベルト７における所定部分は、２次転写ローラ８と対抗ローラ１８とによって挟み込まれる。そして、用紙Ｔは中間転写ベルト７の外面（トナー画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００５０】
定着部９は、用紙Ｔに２次転写されたトナー画像を構成する各色トナーを溶融させると共に、用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟むと共に、搬送する。加熱ローラ９ａと加圧ローラ９ｂとの間に挟まれた状態で用紙Ｔが搬送されることによって、用紙Ｔに転写されたトナーは、溶融されると共に、用紙Ｔに定着する。
【００５１】
次に、給排紙部について説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００５２】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００５３】
装置本体Ｍの垂直方向における上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００５４】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を後処理装置（図示せず）に搬送する後処理搬送路Ｌｃとを備える。
【００５５】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００５６】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信号情報に基づいて上述の補正やタイミング調整をして用紙Ｔを搬送する。
【００５７】
戻し搬送路Ｌｂは、用紙Ｔの両面印刷を行う際に、既に印刷されている面とは反対面（非印刷面）を感光体ドラム２ａ、２ｂ、２ｃ、２ｄに対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させる。戻し搬送路Ｌｂにより表裏反転された用紙Ｔには、感光体ドラム２ａ、２ｂ、２ｃ、２ｄにより非印刷面に対して所定のトナー画像が転写される。
【００５８】
第３搬送路Ｌ３における端部には、第１排紙部５０ａが形成される。第１排紙部５０ａは、装置本体Ｍの垂直方向における上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５９】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が垂直方向における下方に窪んで形成された部分である。排紙集積部Ｍ１の底面は、装置本体Ｍにおける上面の一部を構成する。排紙集積部Ｍ１には、所定のトナー画像が転写され第１排紙部５０ａから排紙された用紙Ｔが積層して集積される。
【００６０】
後処理搬送路Ｌｃにおける端部には、第２排紙部５０ｂが形成される。第２排紙部５０ｂは、装置本体Ｍの垂直方向における上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００６１】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００６２】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００６３】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６４】
本実施形態のカラーコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動させて主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００６５】
次いで、図２から図４により、画像読取装置３００の読取部３０１を詳述する。図２は、画像読取装置３００の読取部３０１の内部構造の概略を示す平面図である。図３は、画像読取装置３００の読取部３０１を主走査方向Ｙから見た図である。図４は、照明ユニット３４７及びミラーユニット３４９のユニット移動機構３７０の概要を示す図である。
【００６６】
図２及び図３に示すように、読取部３０１は、筐体３０６と、第１読取面３０２Ａを形成する第１コンタクトガラス３３５Ａと、第２読取面３０２Ｂを形成する第２コンタクトガラス３３５Ｂと、を備える。また、読取部３０１は、筐体３０６の内部空間３０４に、一対の案内レール３４５と、照明ユニット３４７と、ミラーユニット３４９と、照明ユニット３４７及びミラーユニット３４９を副走査方向Ｘに移動させる一対のユニット移動機構３７０と、結像レンズ３５７と、読取手段としてのＣＣＤ３５８と、光学センサ３６２と、を備える。
【００６７】
筐体３０６は、上方側における第１コンタクトガラス３３５Ａ及び第２コンタクトガラス３３５Ｂに対応する領域が開口している。この開口する領域は、第１コンタクトガラス３３５Ａ及び第２コンタクトガラス３３５Ｂにより被覆される。
【００６８】
図２に示すように、一対の案内レール３４５は、筐体３０６における主走査方向Ｙに沿う右側面３０６ａと左側面３０６ｂとの間に配置される。一対の案内レール３４５は、副走査方向Ｘに沿う前面３０６ｃ及び背面３０６ｄそれぞれから主走査方向Ｙの内側に間隔をあけて、副走査方向Ｘに延びるように配置される。一対の案内レール３４５は、第１コンタクトガラス３３５Ａ及び第２コンタクトガラス３３５Ｂと平行に設置される。一対の案内レール３４５上には、照明ユニット３４７の第１枠体３１１及びミラーユニット３４９の第２枠体３１２が副走査方向Ｘに移動可能に載置される。
【００６９】
図２に示すように、一対のユニット移動機構３７０は、それぞれ、読取部３０１の前面３０６ｃと一方の案内レール３４５との間、及び読取部３０１の背面３０６ｄの他方の案内レール３４５との間に配置される。一対のユニット移動機構３７０は、主走査方向Ｙに線対称に構成される。
ユニット移動機構３７０の詳細については後述する。
【００７０】
図３に示すように、照明ユニット３４７は、照明部３４０と、第１ミラー３２１と、照明部３４０及び第１ミラー３２１を収容する第１枠体３１１と、を備える。
【００７１】
照明部３４０は、（点状）発光部としての複数のＬＥＤ（後述する）が取り付けられたＬＥＤユニット５０３を有する。第１ミラー３２１は、照明ユニット３４７における垂直方向Ｚにおける下方側に配置される。第１ミラー３２１は、反射面が原稿Ｇ及び第２ミラー３２２側を向くように配置される。第１ミラー３２１は、原稿からの光束Ｈ１を第２ミラー３２２に反射させる。
【００７２】
図３に示すように、ミラーユニット３４９は、第２ミラー３２２と、第３ミラー３２３と、第２ミラー３２２及び第３ミラー３２３を収容する第２枠体３１２と、を備える。
【００７３】
第２ミラー３２２は、第２枠体３１２の垂直方向Ｚにおける上方側に配置される。第２ミラー３２２は、反射面が第１ミラー３２１及び第３ミラー３２３側を向くように配置される。第２ミラー３２２は、第１ミラー３２１からの光束Ｈ２を第３ミラー３２３側に反射させる。
【００７４】
第３ミラー３２３は、第２枠体３１２の垂直方向Ｚにおける下方側に配置される。第３ミラー３２３は、反射面が第２ミラー３２２及び結像レンズ３５７側を向くように配置される。第３ミラー３２３は、第２ミラー３２２からの光束Ｈ３を結像レンズ３５７側に反射させる。
【００７５】
図２及び図３に示すように、読取部３０１の底面３０６ｅにおける右側面３０６ａ寄りには、結像レンズ３５７、ＣＣＤ３５８等を支持する部材であるＩＳＵベース３５６が取り付けられる。ＩＳＵベース３５６の上面には、結像レンズ３５７と、読取手段としてのＣＣＤ３５８とが所定の位置関係で取り付けられる。
【００７６】
結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の主走査方向Ｙにおける略中央に配置される。結像レンズ３５７は、光路Ｈにおける原稿Ｇ側と反対の端部側に配置される。結像レンズ３５７は、入射された光束Ｈ４を所定位置において結像させる。つまり、結像レンズ３５７は、原稿Ｇの画像を所定位置において結像させる。
【００７７】
ＣＣＤ３５８は、ガイド部材３６０の背面側に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通って、ＣＣＤ３５８に入射される。ＣＣＤ３５８に入射される光束における光軸は、ガイド部材３６０の位置を微調整することにより補正される。
【００７８】
光学センサ３６２は、ＩＳＵベース３５６上に配置される。光学センサ３６２は、第２コンタクトガラス３３５Ｂ上に載置された原稿Ｇからの反射光を受光するか否かによって、副走査方向Ｘに沿う原稿Ｇのサイズを検知する。
【００７９】
次に、一対のユニット移動機構３７０について詳述する。
図２及び図４に示すように、ユニット移動機構３７０は、駆動用ワイヤー３７１と、第１固定部材３７２と、第１連結部材３７３と、第１可動プーリ３７４と、第２連結部材３７５と、第１固定プーリ３７６と、駆動プーリ３７７と、第２固定プーリ３７８と、第２可動プーリ３７９と、第３固定プーリ３８０と、弾性部材３８１と、第２固定部材３８２と、を備える。
【００８０】
第１固定部材３７２及び第２固定部材３８２は、筐体３０６の底面３０６ｅに固定される。第１可動プーリ３７４及び第２可動プーリ３７９は、回転軸が主走査方向Ｙに延びるように、ミラーユニット３４９の第１枠体３１１に固定される。第１固定プーリ３７６，駆動プーリ３７７，及び第２固定プーリ３７８は、回転軸が主走査方向Ｙに延びるように、筐体３０６に固定される。第３固定プーリ３８０は、回転軸が垂直方向Ｚに延びるように、筐体３０６に固定される。
【００８１】
駆動用ワイヤー３７１の一端部は、第１連結部材３７３により第１固定部材３７２に連結される。駆動用ワイヤー３７１の他端部は、弾性部材３８１を介して第２固定部材３８２に連結される。駆動用ワイヤー３７１の中間部分は、第２連結部材３７５により照明ユニット３４７の第１枠体３１１に連結されると共に、第１可動プーリ３７４，第２可動プーリ３７９，及び第１固定プーリ３７６，第２固定プーリ３７８に掛け渡される。駆動用ワイヤー３７１は、駆動プーリ３７７により駆動される。
【００８２】
第１固定プーリ３７６は、筐体３０６の右側面３０６ａの近傍に配置される。第２固定プーリ３７８は、筐体３０６の左側面３０６ｂの近傍に配置される。第３固定プーリ３８０は、筐体３０６の左側面３０６ｂの近傍に配置される。第１固定部材３７２は、副走査方向Ｘに第１固定プーリ３７６と第２固定プーリ３７８との間に配置される。第１連結部材３７３は、駆動用ワイヤー３７１の一端部と第１固定部材３７２とを連結する。第２固定部材３８２は、第３固定プーリ３８０よりも主走査方向Ｙの内側に配置される。弾性部材３８１は、駆動用ワイヤー３７１の端部と第３固定プーリ３８０とを、主走査方向Ｙに弾性力が発現するように連結する。
【００８３】
第１可動プーリ３７４及び第２可動プーリ３７９は、ミラーユニット３４９の第２枠体３１２における主走査方向Ｙの外側に固定される。第１可動プーリ３７４及び第２可動プーリ３７９は、副走査方向Ｘに、第１固定プーリ３７６と第２固定プーリ３７８及び第３固定プーリ３８０との間に配置される。
第２連結部材３７５は、照明ユニット３４７の第１枠体３１１に設けられ、第１枠体３１１と駆動用ワイヤー３７１とを連結する。第２連結部材３７５は、第１固定プーリ３７６と第１可動プーリ３７４及び第２可動プーリ３７９との間に配置される。
【００８４】
駆動用ワイヤー３７１は、次にように掛け渡される。具体的には、駆動用ワイヤー３７１は、一端部が第１連結部材３７３により第１固定部材３７２に連結され、筐体３０６の左側面３０６ｂ側に延び、下側から第１可動プーリ３７４の左半周面に掛けられ、第１可動プーリ３７４の上側から筐体３０６の右側面３０６ａ側に延び、第２連結部材３７５により第１枠体３１１に連結される。そして、駆動用ワイヤー３７１は、第１枠体３１１から筐体３０６の右側面３０６ａ側に延び、上側から第１固定プーリ３７６の右半周面に掛けられ、第１固定プーリ３７６の下側から筐体３０６の左側面３０６ｂ側に延び、下側から第２固定プーリ３７８の左半周面に掛けられる。また、駆動用ワイヤー３７１は、第２固定プーリ３７８の上側から右側面３０６ａ側に延び、下側から第２可動プーリ３７９の右半周面に掛けられ、第２可動プーリ３７９の上側から筐体３０６の左側面３０６ｂ側に延び、第３固定プーリ３８０に掛けられ、主走査方向Ｙの内側に延びる。更に、駆動用ワイヤー３７１の他端部は、弾性部材３８１を介して第２固定部材３８２に連結される。
【００８５】
一対のユニット移動機構３７０において、それぞれの駆動プーリ３７７は、主走査方向Ｙに延びる駆動軸３８３により連結される。一方の駆動プーリ３７７は、不図示の駆動モータにより正転側又は反転側に駆動される。これにより、一方の駆動プーリ３７７が回転すると、この回転と同期して他方の駆動プーリ３７７も回転する。
【００８６】
駆動プーリ３７７の回転に伴って、駆動用ワイヤー３７１は、副走査方向Ｘに、筐体３０６の右側面３０６ａ側に又は左側面３０６ｂ側に移動する。駆動用ワイヤー３７１が移動することで、照明ユニット３４７及びミラーユニット３４９は、案内レール３４５に沿って副走査方向Ｘに移動する。照明ユニット３４７（第１枠体３１１）は、駆動用ワイヤー３７１に連結されているのに対して、ミラーユニット３４９においては、第２枠体３１２に設けられる動滑車である第１可動プーリ３７４及び第２可動プーリ３７９に、駆動用ワイヤー３７１が掛け渡される。そのため、照明ユニット３４７の移動距離とミラーユニット３４９の移動距離との比は２：１となる。
【００８７】
照明ユニット３４７の第１ミラー３２１と、ミラーユニット３４９の第２ミラー３２２及び第３ミラー３２３とは、原稿Ｇからの光を結像レンズ３５７に入光させるための光路Ｈを形成する。上述の通り、照明ユニット３４７が副走査方向Ｘに速度Ａで移動すると共に、ミラーユニット３４９が副走査方向Ｘに速度Ａ／２で移動するので、画像読み取り動作時においても光路Ｈの長さは一定に保持される。
【００８８】
なお、本実施形態においては、動滑車の原理を利用して、照明ユニット３４７の移動距離とミラーユニット３４９の移動距離との比が２：１となる構成を実現しているが、これに制限されない。例えば、大径部及び小径部を有する駆動プーリと従動プーリを利用して、照明ユニット３４７の移動距離とミラーユニット３４９の移動距離との比が２：１となる構成を実現することもできる。
【００８９】
ここで、図５から図８により、照明ユニット３４７の照明部３４０について詳細に説明する。
照明部３４０は、発光部としてのＬＥＤを複数含むＬＥＤユニット５０３と、基板部７１０と、ＬＥＤユニット５０３に含まれる複数のＬＥＤそれぞれから出射された光を所定経路に導く導光体４１０と、導光体４１０により導かれた光を反射させて原稿Ｇに照射させる反射ミラー６０１と、ＬＥＤユニット５０３、基板部７１０及び導光体４１０が取り付けられる取付け部材６１０と、反射ミラー６０１が取り付けられるミラー保持部材６１１と、を備える。取付け部材６１０及びミラー保持部材６１１は、第１枠体３１１に連結固定される。
【００９０】
図７及び図８に示すように、基板部７１０は、主走査方向Ｙに長い一つの基板取付部材７０１と、主走査方向Ｙに分割され基板取付部材７０１の垂直方向における上面に互いに離間して取り付けられる複数（７つ）の基板としての第１基板７０２Ａ、第２基板７０２Ｂ、７０２Ｂ、第３基板７０２Ｃ、７０２Ｃ、第４基板７０２Ｄ、７０２Ｄと、を有する。
【００９１】
第１基板７０２Ａは、基板取付部材７０１の上面で主走査方向Ｙの中央部に一つ配置される。また、第２基板７０２Ｂ、７０２Ｂは、基板取付部材７０１の上面で主走査方向Ｙの両外側部それぞれに配置される。また、第３基板７０２Ｃ、７０２Ｃは、基板取付部材７０１の上面で第１基板７０２Ａと第２基板７０２Ｂ、７０２Ｂとの間に配置される。具体的には、第３基板７０２Ｃ、７０２Ｃは、第１基板７０２Ａと第２基板７０２Ｂ、７０２Ｂとの間における第２基板７０２Ｂ側に偏った位置に配置される。また、第４基板７０２Ｄ、７０２Ｄは、基板取付部材７０１の上面で第１基板７０２Ａと第３基板７０２Ｃ、７０２Ｃとの間に配置される。ここで、第１基板７０２Ａ、第２基板７０２Ｂ、７０２Ｂ、第３基板７０２Ｃ、７０２Ｃ及び第４基板７０２Ｄ、７０２Ｄそれぞれは、主走査方向Ｙにおいて、互いに略等間隔で配置される。
【００９２】
図７及び図８に示すように、ＬＥＤユニット５０３は、（点状）発光部としての複数（計１４個）のＬＥＤ５０１ａから５０１ｈそれぞれが、主走査方向Ｙにおいて互いに離間して基板部７１０を構成する各基板７０１Ａから７０１Ｄに実装されて構成される。複数のＬＥＤ５０１ａから５０１ｈそれぞれは、主走査方向Ｙにおいて所定間隔離間して並んで配置される。複数のＬＥＤ５０１ａから５０１ｈそれぞれは、側面に形成された発光面から副走査方向Ｘ（水平方向）に進むよう光を発光する。
【００９３】
具体的には、ＬＥＤユニット５０３は、第１基板７０２Ａに実装される第１ＬＥＤ５０１ａ（第１発光部）及び第３ＬＥＤ５０１ｃと、第２基板７０２Ｂに実装される第２ＬＥＤ５０１ｂ（第２発光部）及び第４ＬＥＤ５０１ｄと、第３基板７０２Ｃに実装される第５ＬＥＤ５０１ｅ（第３発光部）及び第６ＬＥＤ５０１ｆと、第４基板７０２Ｄに実装される第７ＬＥＤ５０１ｇ及び第８ＬＥＤ５０１ｈとを有する。
【００９４】
詳細には、ＬＥＤユニット５０３は、主走査方向Ｙにおける一方（図８における下方）から他方（図８における上方）に向かって、第２ＬＥＤ５０１ｂ、第４ＬＥＤ５０１ｄ、第５ＬＥＤ５０１ｅ、第６ＬＥＤ５０１ｆ、第７ＬＥＤ５０１ｇ、第８ＬＥＤ５０１ｈ、第３ＬＥＤ５０１ｃ、第１ＬＥＤ５０１ａ、第８ＬＥＤ５０１ｈ、第７ＬＥＤ５０１ｇ、第６ＬＥＤ５０１ｆ、第５ＬＥＤ５０１ｅ、第４ＬＥＤ５０１ｄ、第２ＬＥＤ５０１ｂの順で配置される複数のＬＥＤを有する。
【００９５】
ここで、第１ＬＥＤ５０１ａは、第１基板７０２Ａに実装される。第１ＬＥＤ５０１ａは、基板部７１０における長手方向中央部に配置される。第３ＬＥＤ５０１ｃは、第１ＬＥＤ５０１ａと同じ第１基板７０２Ａに実装される。
また、第２ＬＥＤ５０１ｂ、５０１ｂは、第２基板７０２Ｂ、７０２Ｂに実装される。第２ＬＥＤ５０１ｂ、５０１ｂは、基板部７１０における長手方向外側部に配置される。第４ＬＥＤ５０１ｄは、第２ＬＥＤ５０１ｂと同じ第２基板７０２Ｂに実装される。
また、第５ＬＥＤ５０１ｅから第８ＬＥＤ５０１ｈは、基板部７１０における第１ＬＥＤ５０１ａと第２ＬＥＤ５０１ｂとの間に配置される。
具体的には、第５ＬＥＤ５０１ｅ、５０１ｅは、第３基板７０２Ｃ、７０２Ｃに実装される。第６ＬＥＤ５０１ｆ、５０１ｆは、第５ＬＥＤ５０１ｅと同じ第３基板７０２Ｃに実装される。
第７ＬＥＤ５０１ｇ、５０１ｇは、第４基板７０２Ｄ、７０２Ｄに実装される。第８ＬＥＤ５０１ｈ、５０１ｈは、第７ＬＥＤ５０１ｇと同じ第４基板７０２Ｄに実装される。
【００９６】
これら複数（計１４個）のＬＥＤ５０１ａから５０１ｈそれぞれは、入光部４００を介して導光体４１０の内部に向けて原稿Ｇに照射される光を発光する。
【００９７】
第１ＬＥＤ５０１ａの発光面５１１ａ（第１発光面）及び第３ＬＥＤ５０１ｃの発光面５１１ｃそれぞれは面状であって、互いに平行（同一面上に並ぶ）に配置される。発光面５１１ａ及び発光面５１１ｃは、後述する第１入光面４００Ａに向かい合うように当接配置される。また、発光面５１１ａ（発光面５１１ｃ）に垂直な第１垂線Ｓａは、副走査方向Ｘに略平行である。
【００９８】
第２ＬＥＤ５０１ｂの発光面５１１ｂ（第２発光面）及び第４ＬＥＤ５０１ｄの発光面５１１ｄそれぞれは面状であって、互いに平行（同一面上に並ぶ）に配置される。発光面５１１ｂ及び発光面５１１ｄは、後述する第２入光面４００Ｂに向かい合うように当接配置される。また、発光面５１１ｂ（発光面５１１ｄ）に垂直な第２垂線Ｓｂは、第１垂線Ｓａと第１角度θ１で交差する。
ここで、第１垂線Ｓａに対する上記及び下記各垂線のなす角度は、第１垂線Ｓａ及び各垂線を副走査方向Ｘ及び主走査方向Ｙを含む仮想平面Ｐ（垂直方向Ｚを垂線とする平面）に投影した仮想線同士のなす角度のうち鋭角側の角度をいう。
【００９９】
第５ＬＥＤ５０１ｅの発光面５１１ｅ（第３発光面）及び第６ＬＥＤ５０１ｆの発光面５１１ｆそれぞれは面状であって、互いに平行（同一面上に並ぶ）に配置される。発光面５１１ｅ及び発光面５１１ｆは、後述する第３入光面４００Ｃに向かい合うように当接配置される。また、発光面５１１ｅ（発光面５１１ｆ）に垂直な第３垂線Ｓｃは、第１垂線Ｓａと第２角度θ２で交差する。
【０１００】
第７ＬＥＤ５０１ｇの発光面５１１ｇ及び第８ＬＥＤ５０１ｈの発光面５１１ｈそれぞれは面状であって、互いに平行（同一面上に並ぶ）に配置される。発光面５１１ｇ（発光面５１１ｈ）は、後述する第４入光面４００Ｄに向かい合うように当接配置される。また、発光面５１１ｇ（発光面５１１ｈ）に垂直な第４垂線Ｓｄは、第１垂線Ｓａと第３角度θ３で交差する。
ここで、上述の各角度は、第３角度θ３＜第２角度θ２＜第１角度θ１の関係である。言い換えると、上述の各角度は、主走査方向における外側に向かうにしたがって、内側の角度以上の角度となる。つまり、複数の基板それぞれに実装される発光部は、第１垂線Ｓａと各発光部の発光面における垂線とのなす角度が主走査方向Ｙの端部側に配置される基板に実装された発光部ほど大きくなるように実装される。
【０１０１】
図７及び図９に示すように、導光体４１０は、副走査方向Ｘ（水平方向）における一端がＬＥＤユニット５０３側に向くように配置され、他端がコンタクトガラス３３５（図３参照）側に向くように配置される。導光体４１０は、一端側に形成される入光部４００と、他端側に形成される出光部を構成する第１出光面４１０ａ及び第２出光面４１０ｂとを有する。また、導光体４１０は、入光部４００から入光された光を所定距離だけ副走査方向Ｘ（水平方向）に進ませる水平部４１０ｃを有する。また、導光体４１０は、該導光体４１０の内部に形成されＬＥＤユニット５０３から入光部４００に入光された光を反射して第１出光面４１０ａから出光させるための第１反射面４２０ａを有する。
【０１０２】
導光体４１０における入光部４００は、第１入光面４００Ａ、第２入光面４００Ｂ、４００Ｂ、第３入光面４００Ｃ、４００Ｃ、及び第４入光面４００Ｄ、４００Ｄを有する。第１入光面４００Ａ、第２入光面４００Ｂ、第３入光面４００Ｃ、及び第４入光面４００Ｄそれぞれは、当接される各発光面の傾き（角度）に対応して形成される。入光部４００は、主走査方向Ｙにおいてジグザグ状に形成される。また、入光部４００は、主走査方向Ｙにおいて、該主走査方向Ｙの中央線（不図示）に対して対称となるようジグザグ状に形成される。
【０１０３】
第１入光面４００Ａは、第１ＬＥＤ５０１ａの発光面５１１ａ及び第３ＬＥＤ５０１ｃの発光面５１１ｃと平行な面状であり、発光面５１１ａ及び発光面５１１ｃに向かい合うようにして当接される。第１入光面４００Ａには、発光面５１１ａ及び発光面５１１ｃそれぞれから発光された光が入光される。
【０１０４】
第２入光面４００Ｂは、第２ＬＥＤ５０１ｂの発光面５１１ｂ及び第４ＬＥＤ５０１ｄの発光面５１１ｄと平行な面状であり、発光面５１１ｂ及び発光面５１１ｄに向かい合うようにして当接される。第２入光面４００Ｂには、発光面５１１ｂ及び発光面５１１ｄそれぞれから発光された光が入光される。
【０１０５】
第３入光面４００Ｃは、第５ＬＥＤ５０１ｅの発光面５１１ｅ及び第６ＬＥＤ５０１ｆの発光面５１１ｆと平行な面状であり、発光面５１１ｅ及び発光面５１１ｆに向かい合うようにして当接される。第３入光面４００Ｃには、発光面５１１ｅ及び発光面５１１ｆそれぞれから発光された光が入光される。
【０１０６】
第４入光面４００Ｄは、第７ＬＥＤ５０１ｇの発光面５１１ｇ及び第８ＬＥＤ５０１ｈの発光面５１１ｈと平行な面状であり、発光面５１１ｇ及び発光面５１１ｈに向かい合うようにして当接される。第４入光面４００Ｄには、発光面５１１ｇ及び発光面５１１ｈそれぞれから発光された光が入光される。
【０１０７】
ここで、第１入光面４００Ａには、発光面５１１ａ及び発光面５１１ｃそれぞれが当接されて位置決めされる。また、第２入光面４００Ｂには、発光面５１１ｂ及び発光面５１１ｄそれぞれが当接されて位置決めされる。また、第３入光面４００Ｃには、発光面５１１ｅ及び発光面５１１ｆそれぞれが当接されて位置決めされる。また、第４入光面４００Ｄには、発光面５１１ｇ及び発光面５１１ｈそれぞれが当接されて位置決めされる。
これにより、導光体４１０とＬＥＤユニット５０３とは、各ＬＥＤにおける位置が適正な状態で維持される。また、組み立て時においても、導光体４１０とＬＥＤユニット５０３とは、各ＬＥＤにおける位置が適正となるよう組み立てることができる。
【０１０８】
上述の通り、出光部は、第１出光面４１０ａと第２出光面４１０ｂとを有する。
第１出光面４１０ａは、原稿Ｇに対向して配置される。第１出光面４１０ａは、入光部４００に入光された光を原稿側に向けて出光させる。具体的には、第１出光面４１０ａは、入光部４００に入光された光であって第１反射面４２０ａに反射された光Ｈ０１ａを原稿Ｇ側に出光させる。
【０１０９】
第２出光面４１０ｂは、反射部材としての反射ミラー６０１に対向して配置される。第２出光面４１０ｂは、入光部４００に入光された光を反射ミラー６０１側に向けて出光させる。第２出光面４１０ｂから出光された光Ｈ０１ｂは、反射ミラー６０１により原稿Ｇ側における被読み取り部Ｒに集光するように反射される。反射ミラー６０１により反射された光Ｈ０１ｃは、第１出光面４１０ａから出光された光Ｈ０１ａとは反対側から所定の角度で原稿Ｇにおける被読み取り部Ｒに照射される。
導光体４１０は、不要な拡散を抑制しながら入光部４００に入光された光を原稿Ｇ側と反射ミラー６０１側に導く。
【０１１０】
また、導光体４１０は、入光部４００から副走査方向Ｘ（水平方向）に進むように入光された光を出光部を構成する第１出光面４１０ａ及び第２出光面４１０ｂから出光させる。ここで、導光体４１０は、入光部４００から入光された光を水平部４１０ｃにおいて水平方向に所定距離だけ進ませた後、第１反射面４２０ａにより垂直方向Ｚにおける上方に向かうよう斜めに屈曲等させる。つまり、導光体４１０は、上述の各ＬＥＤから発光された光が拡散するために必要な距離に対応する一部分を水平方向に延びるように配置している。これにより、画像読取装置３００における垂直方向Ｚの大きさ（高さ）を小さく（低く）することができる。
【０１１１】
続けて、本実施形態の画像読取装置３００における作用について説明する。
まず、原稿搬送部７０（図１参照）を開状態にすると共に、読取部３０１（図２参照）の第２読取面３０２Ｂ（図３参照）に原稿Ｇを載置する。光学センサ３６２（図３参照）により第２読取面３０２Ｂに原稿が載置されたことが検知されることにより、照明ユニット３４７及びミラーユニット３４９は、第２読取位置（図３参照）に配置される。
【０１１２】
次いで、原稿搬送部７０を閉状態にする。そして、不図示のスタートスイッチを押すことにより、コピー機１に対して、原稿Ｇの画像を複製することを指示する。スタートスイッチが押されることによって、画像読取装置３００による原稿Ｇの画像を読み取り動作が開始される。
【０１１３】
具体的には、まず、ＬＥＤユニット５０３を構成する複数のＬＥＤ５０１ａから５０１ｈ（図５及び図６参照）それぞれが点灯される。点灯された複数のＬＥＤ５０１ａから５０１ｈそれぞれからの光は、入光部４００から導光体４１０の内部に入光される。入光部４００から入光された光の一部は、第１反射面４２０ａに反射され集光されながら第１出光面４１０ａから出光される。第１出光面４１０ａから出光された光Ｈ０１ａは、原稿Ｇ側に向かい、原稿Ｇに直接照射される。
【０１１４】
また、入光部４００から入光された光の一部は、第２出光面４１０ｂから出光される。第２出光面４１０ｂから出光された光Ｈ０１ｂは、反射ミラー６０１により反射される。反射ミラー６０１により反射された光Ｈ０１ｃは、第１出光面４１０ａから出光された光Ｈ０１ａとは反対側から所定の角度で原稿Ｇにおける被読み取り部Ｒに照射される。これにより、原稿Ｇには、主走査方向Ｙに延びるライン状の光が照射される。
【０１１５】
原稿Ｇにライン状の光が照射された状態で、照明ユニット３４７及びミラーユニット３４９それぞれは、一対のユニット移動機構３７０により副走査方向Ｘに移動される。照明ユニット３４７及びミラーユニット３４９それぞれは、光路Ｈにおける光路長を一定に保持しながら移動する。
【０１１６】
原稿Ｇからの光束は、第１ミラー３２１、第２ミラー３２２及び第３ミラー３２３に反射された後、結像レンズ３５７に入射される（図３参照）。
【０１１７】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【０１１８】
ここで、導光体４１０から出光された光が原稿Ｇの被読み取り部Ｒに対して副走査方向Ｘにおける一方側からの光Ｈ０１ａと他方側からの光Ｈ０１ｃが照射されるので、読み取られた画像にエッジ影が発生することを抑制できる（図５及び図６参照）。
【０１１９】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１２０】
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される（図１参照）。
【０１２１】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から装置本体Ｍの外部に排紙される（図１参照）。
【０１２２】
本実施形態によれば、照明部３４０を構成する複数のＬＥＤ５０１のうち、主走査方向Ｙの外側部側に実装される第２ＬＥＤ５０１ｂ（第４ＬＥＤ５０１ｄ），第５ＬＥＤ５０１ｅ（第６ＬＥＤ５０１ｆ），第７ＬＥＤ５０１ｇ（第８ＬＥＤ５０１ｈ）の各発光面５１１ｂ（５１１ｄ），５１１ｅ（５１１ｆ），５１１ｇ（５１１ｈ）に垂直な垂線Ｓｂ，Ｌｃ，Ｌｄと、主走査方向Ｙの中央部に実装される第１ＬＥＤ５０１ａ（第３ＬＥＤ５０１ｃ）の発光面５１１ａ（５１１ｃ）に垂直な垂線Ｓａとの交差する角度θ１，θ２，θ３が、主走査方向Ｙの外側ほど大きく設定されている。これにより、原稿Ｇの一部が読み取り面から浮くように離間した場合でも、読み取り画像におけるムラを抑制することができる。
【０１２３】
図１０により、読み取り画像におけるムラを抑制できる原理を説明する。
図１０は、読み取り画像におけるムラを抑制できる原理を説明するための模式図である。
図１０においては、主走査方向Ｙに延びる基板部７１０の上面に複数のＬＥＤ５０１が実装されている。図１０では、説明を容易にするため中央部の第１ＬＥＤ５０１ａと、主走査方向Ｙにおける一方側の第２ＬＥＤ５０１ｂと第５ＬＥＤ５０１ｅとが配置された模式図を示すが、実際の照明部３４０では主走査方向Ｙにおける一方側に６個のＬＥＤが実装されている。
上述の通り、第１垂線Ｓａ（副走査方向Ｘに平行、主走査方向に垂直）に対する各垂線のなす角度は、主走査方向Ｙにおける外側に向かうにしたがって、同じか大きくなる。
【０１２４】
ここで、読取ラインｒ１における読取位置Ｃ１で読み取られた画像には、所定のゲインＧ１がかけられる。そして、原稿の一部が浮いて読取ラインｒ１ではなく読取ラインｒ２に原稿の一部がある場合、読取ラインｒ２における読取位置Ｃ２で読み取られた画像には、同じゲインＧ１がかけられる。
従来のように、第１垂線Ｓａに対する各垂線のなす角度が０度で第１垂線Ｓａに平行な場合には、読取ラインｒ１におけるリップルと読取ラインｒ２におけるリップルとは、互いの山谷同士が重なるように形成される。このため、読取位置Ｃ１における照射光の強さと、読取位置Ｃ２における照射光の強さとが大きく異なる場合がある。
本実施形態において、各ＬＥＤを第１垂線Ｓａに対する各垂線のなす角度が主走査方向Ｙにおける外側に向かうにしたがって同じか大きくなるように配置したので、読取ラインｒ１におけるリップルと読取ラインｒ２におけるリップルとは、互いの山谷が主走査方向にずれて形成される。これにより、読取位置Ｃ１における照射光の強さと、読取位置Ｃ２における照射光の強さとの差異を小さくすることができる。よって、本実施形態におけるコピー機１は、読み取られた画像に生じるムラを抑制することができる。
【０１２５】
ここで、本実施形態によれば、導光体４１０を用いているので、上述の各ＬＥＤから発光された光が拡散するために必要な距離に対応する一部分を水平方向に延びるように配置している。これにより、画像読取装置３００における垂直方向Ｚの大きさ（高さ）を小さく（低く）することができる。特に、原稿Ｇに対して垂直方向Ｚにおける斜下から光を直接照射させるように各ＬＥＤを配置（配向）させた場合に比べて、ＬＥＤから読取面までの高さ寸法を小さくできる。これにり、画像読取装置３００を小型化することができる。
【０１２６】
また、本実施形態によれば、導光体４１０における入光部４００が、複数のＬＥＤ５０１ａから５０１ｈにおける各発光面５１１ａから５１１ｈそれぞれに向かい合うようにして当接される複数の入光面４００Ａから４００Ｄを有するように形成される。導光体４１０における入光部４００は、主走査方向Ｙにおいてジグザグ状に形成されている。これにより、カラーコピー機１は、製造（組付け）時において複数の各ＬＥＤ５０１の発光面を入光面に当接することで、各ＬＥＤを容易に位置決めすることができるので、組付け作業性に優れている。また、カラーコピー機１は、組付け後においても、各ＬＥＤの位置及び発光面の向きが正確な状態で維持されると共に、導光体４１０の位置が正確な状態で維持される。
【０１２７】
また、本実施形態によれば、ＬＥＤが実装された複数の基板を主走査方向Ｙに並べてＬＥＤユニット５０３及び基板部７１０を形成している。これにより、画像読取装置３００は、各ＬＥＤを要求される角度になるように配置できると共に、容易に角度の調整をすることができる。また、これにより、画像読取装置３００における歩留まりの向上が図れる。
また、一つのＬＥＤが損傷して交換が必要になった場合、全てのＬＥＤを交換する必要がなく、損傷したＬＥＤが実装された基板のみを交換すればよい。これにより、画像読取装置３００におけるＬＥＤ交換作業性の向上及びランニングコストの低減を図ることができる。
また、ＬＥＤが同じ角度で実装された基板を複数用いてＬＥＤユニット５０３及び基板部７１０を形成することができる。具体的には、ＬＥＤが実装された同タイプの基板を角度（垂線同士の角度）を調整して主走査方向Ｙに並べることで、ＬＥＤユニット５０３及び基板部７１０を形成することができる。これにより、全てのＬＥＤそれぞれが所定角度傾いて一つの基板に実装された場合に比べて、製造コストを低減することができる。
【０１２８】
更に、基板が主走査方向Ｙで複数に分割されているので、主走査方向Ｙに長い一つの基板を用いる場合に生じる熱による反りの発生が抑制される。これにより、原稿の読取面での照度分布の変化を抑制できる。また、これにより、読み取り画像のけるムラをより抑制することができる。
【０１２９】
また、本実施形態によれば、上述の効果を有する画像読取装置を備えるカラーコピー機１を提供することができる。
【０１３０】
以上、好適な実施形態について説明したが、本発明は上述した実施形態に限定されることなく種々の形態で実施することができる。例えば、本実施形態において、画像形成装置としてカラーコピー機１につい説明しているが、これに限定されず、モノクロコピー機、プリンタ、ファクシミリ及びこれらの複合機等であってもよい。
【０１３１】
また、上述した実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１３２】
また、上述した実施形態において、画像読取装置３００は、画像形成装置としてのカラーコピー機１の一部を構成しているが、これに限定されず、例えば、イメージスキャナ等の単体として用いられる装置であってもよい。
【０１３３】
また、上述した実施形態においては、発光部としてＬＥＤ５０１を用いるものについて説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【符号の説明】
【０１３４】
１……カラーコピー機（画像形成装置）、２ａ、２ｂ、２ｃ、２ｄ……感光体ドラム（像担持体）、９……定着部、１６……現像器、３００……画像読取装置、３０１……読取部、３２１……第１ミラー（ミラー）、３２３……第２ミラー（ミラー）、３２３……第３ミラー（ミラー）、３４０……照明部、３５７……結像レンズ、３５８……ＣＣＤ（読取部）、４００……入光部、４００Ａ……第１入光面、４００Ｂ……第２入光面、４００Ｃ……第３入光面、４１０……導光体、４１０ａ……第１出光面（出光部）、４１０ｂ……第２出光面（出光部）、５０１ａ……第１ＬＥＤ（第１発光部）、５０１ｂ……第２ＬＥＤ（第２発光部）、５０１ｅ……第５ＬＥＤ（第３発光部）、５１１ａ……発光面（第１発光面）、５１１ｂ……発光面（第２発光面）、５１１ｅ……発光面（第３発光面）、７１０……基板部、７０１……基板取付部材、７０２Ａ……第１基板、７０２Ｂ……第２基板、７０２Ｃ……第３基板、Ｇ……原稿、Ｈ……光路、Ｘ……副走査方向、Ｙ……主走査方向、Ｓａ……第１垂直線、Ｓｂ……第２垂線、Ｓｃ……第３垂線、θ１……第１角度、θ２……第２角度
【図１】
2010278855.tif 000003
【図２】
2010278855.tif 000004
【図３】
2010278855.tif 000005
【図４】
2010278855.tif 000006
【図５】
2010278855.tif 000007
【図６】
2010278855.tif 000008
【図７】
2010278855.tif 000009
【図８】
2010278855.tif 000010
【図９】
2010278855.tif 000011
【図１０】
2010278855.tif 000012